(57)【要約】【課題】光源部側のコネクタと装置本側のコネクタとの接続不良を抑制できる投写型表示装置を提供する。【解決手段】プロジェクタは、ランプユニット３００が装着されるランプ収容部２１２と、ランプユニット３００へ電力を供給する第１および第２ランプ電源ユニット１３、１４とを備える。ランプユニット３００は、発光管３１１と、発光管３１１が保持されるランプホルダ３２０とを含む。ランプホルダ３２０には、発光管３１１と電気的に接続される第１コネクタ３３０が設けられ、ランプ収容部２１２には、ランプ電源ユニット１３、１４と電気的に接続される第２コネクタ２７０が設けられる。ランプユニット３００とランプ収容部２１２の間には、装着方向への力をランプユニット３００に付与し、第１コネクタ３３０の第２コネクタ２７０への接続を補助するアシスト部３２７、２６２、２６０が設けられる。【選択図】図９
2012128254.tif 000002
【特許請求の範囲】
【請求項１】
光源部と、
前記光源部から出射された光を変調する光変調部と、
前記光源部が装着される装着部と、
前記光源部へ電力を供給する電源部と、を備え、
前記光源部は、発光体と、当該発光体が保持されるホルダとを含み、
前記ホルダには、前記発光体と電気的に接続される第１コネクタが設けられ、
前記装着部には、前記電源部と電気的に接続される第２コネクタが設けられ、
前記光源部と前記装着部との間には、前記光源部が前記装着部に装着される際に、前記光源部に装着方向の力を付与し、前記第１コネクタの前記第２コネクタへの接続を補助するアシスト部が設けられる、
ことを特徴とする投写型表示装置。
【請求項２】
請求項１に記載の投写型表示装置において、
前記装着部は、前記光源部が装着されたときに前記ホルダの側面に対面する側面を含み、
前記アシスト部は、前記２つの側面の一方に対して配された第１突出部と、前記２つの側面の他方に対して配されるとともに前記光源部が前記装着部に装着される際に前記第１突出部に当接する第２突出部とを含み、
前記光源部が前記装着部に装着される際に、前記第１突出部に押されて前記第２突出部が弾性変形し、前記第１突出部が前記第２突出部の頂上部を乗り越えると、前記第２突出部の弾性復帰力によって、前記光源部が装着方向に付勢される、
ことを特徴とする投写型表示装置。
【請求項３】
請求項２に記載の投写型表示装置において、
少なくとも前記第２突出部は、当該第２突出部に対応する前記側面に配された板バネに設けられる、
ことを特徴とする投写型表示装置。
【請求項４】
請求項３に記載の投写型表示装置において、
前記装着部の前記側面に、前記第２突出部を有する前記板バネが配される、
ことを特徴とする投写型表示装置。
【請求項５】
請求項３または４に記載の投写型表示装置において、
前記第１突出部は円弧状に形成される、
ことを特徴とする投写型表示装置。
【請求項６】
請求項１ないし５の何れか一項に記載の投写型表示装置において、
複数の前記装着部と、前記各装着部に対応する複数の前記光源部と、前記各光源部からの光を合成する光合成部と、を備える、
ことを特徴とする投写型表示装置。
【発明の詳細な説明】
【技術分野】
【０００１】
本発明は、光源からの光を変調して被投写面に投写する投写型表示装置に関する。
【背景技術】
【０００２】
投写型表示装置（以下、「プロジェクタ」という）は、光源から出射された光を光変調素子により変調し、変調された光（以下、「映像光」という）を被投写面に投写する。光源には、たとえば、ランプ光源が用いられる。
【０００３】
ランプ光源は、たとえば、ランプ本体と、ランプ本体を保持するホルダとにより構成される。ランプ本体は、発光管と、発光管から発せられた光を反射するリフレクターを有する。ランプ光源は、経年劣化や破損により点灯しなくなると交換が必要となる。このため、ランプ光源は、交換が可能となるよう、プロジェクタ本体内に着脱可能に装着される。
【０００４】
発光管には、プロジェクタ本体内に設けられた電源部から電力が供給される。発光管へ電力を供給するため、たとえば、ホルダには、発光管と電気的に接続されるコネクタが設けられ得る（たとえば、特許文献１参照）。ランプ光源がプロジェクタ本体内に装着されると、ホルダのコネクタが、電源部に電気的に接続されたプロジェクタ本体側のコネクタに接続される。こうして、電源部からの電力が、２つのコネクタを介して発光管に供給される。
【先行技術文献】
【特許文献】
【０００５】
【特許文献１】特開平０９−２４５５０２号公報
【発明の概要】
【発明が解決しようとする課題】
【０００６】
上記構成では、光源ランプがプロジェクタ本体内に装着された際に、２つのコネクタが完全に接続されず、半端な接続状態のままになると、発光管への電力供給が良好に行えない虞がある。
【０００７】
本発明は、かかる課題に鑑みてなされたものであり、光源部側のコネクタと装置本側のコネクタとの接続不良を抑制できる投写型表示装置を提供することを目的とする。
【課題を解決するための手段】
【０００８】
本発明の投写型表示装置は、光源部と、前記光源部から出射された光を変調する光変調部と、前記光源部が装着される装着部と、前記光源部へ電力を供給する電源部とを備える。前記光源部は、発光体と、当該発光体が保持されるホルダとを含む。前記ホルダには、前記発光体と電気的に接続される第１コネクタが設けられる。一方、前記装着部には、前記電源部と電気的に接続される第２コネクタが設けられる。さらに、前記光源部と前記装着部との間には、前記光源部が前記装着部に装着される際に、前記光源部に装着方向の力を付与し、前記第１コネクタの前記第２コネクタへの接続を補助するアシスト部が設けられる。
【０００９】
本発明の投写型表示装置の構成によれば、光源部が装着部に装着される際に、アシスト部によって光源部に装着方向の力が付与される。このため、第１コネクタを円滑に第２コネクタへ接続でき、コネクタの接続不良を抑制できる。
【００１０】
本発明の投写型表示装置において、前記装着部は、前記光源部が装着されたときに前記ホルダの側面に対面する側面を含み得る。この場合、前記アシスト部は、前記２つの側面の一方に対して配された第１突出部と、前記２つの側面の他方に対して配されるとともに前記光源部が前記装着部に装着される際に前記第１突出部に当接する第２突出部とを含む。そして、前記光源部が前記装着部に装着される際に、前記第１突出部に押されて前記第２突出部が弾性変形し、前記第１突出部が前記第２突出部の頂上部を乗り越えると、前記第２突出部の弾性復帰力によって、前記光源部が装着方向に付勢される。
【００１１】
このような構成とした場合、少なくとも前記第２突出部は、当該第２突出部に対応する前記側面に配された板バネに設けられるよう構成され得る。
【００１２】
このような構成とすれば、第２突出部を良好に弾性的に保持できる。
【００１３】
さらに、第２突出部が板バネに設けられる構成とした場合、前記装着部の前記側面に、前記第２突出部を有する前記板バネが配され得る。
【００１４】
このような構成とすれば、板バネが光源部側に設けられていないので、光源部が持ち運ばれている際に、板バネが何ものかに当たって変形するなどの虞がない。
【００１５】
さらに、第２突出部が板バネに設けられる構成とした場合、前記第１突出部は円弧状に形成され得る。
【００１６】
このような構成とすれば、第２突出部が第１突出部の円弧形状に沿って動くことで第２突出部が光源部から離れる方向に移動しやすい。このため、適度な力を加えることにより、第１突出部が第２突出部の頂上部を乗り越えるので、光源部を装着部へ円滑に装着できる。
【００１７】
本発明の投写型表示装置において、複数の前記装着部と、前記各装着部に対応する複数の前記光源部と、前記各光源部からの光を合成する光合成部と、を備えるような構成とされ得る。
【００１８】
複数の光源部を用い、これら光源部からの光を合成するようにすれば、高輝度化を図ることができる。反面、光源部を装着したときに、コネクタの接続不良が発生する確率が高まる。本発明の投写型表示装置の構成とすれば、複数の光源部を用いた場合にも、コネクタの接続不良が発生する確率が抑えられる。
【発明の効果】
【００１９】
以上のとおり、本発明によれば、光源部側のコネクタと装置本側のコネクタとの接続不良を抑制できる投写型表示装置を提供することができる。
【００２０】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２１】
【図１】実施の形態に係るプロジェクタの外観構成を示す図である。
【図２】実施の形態に係るプロジェクタの内部構造を示す図である。
【図３】実施の形態に係る光学系の構成を示す図である。
【図４】実施の形態に係る光源装置の構成を示す図である。
【図５】実施の形態に係る光源装置の構成を示す図である。
【図６】実施の形態に係る光源装置の構成を示す図である。
【図７】実施の形態に係るランプユニットの構成を示す図である。
【図８】実施の形態に係るランプユニットの構成を示す図である。
【図９】実施の形態に係るランプユニットがランプ収容部に装着される様子を示す要部の断面図である。
【図１０】本実施の形態の効果について説明するための図である。
【図１１】変更例に係る光源装置の構成を示す図である。
【発明を実施するための形態】
【００２２】
以下、図面を参照して、実施の形態に係るプロジェクタについて説明する。
【００２３】
＜プロジェクタの全体構成＞
図１は、プロジェクタの外観構成を示す図である。本実施の形態に係るプロジェクタは、４つのランプユニットを備えており、いわゆる、４灯タイプの大型のプロジェクタである。
【００２４】
図１を参照して、プロジェクタは、略直方体形状を有する本体キャビネット１を備えている。本体キャビネット１は、下キャビネット２と、下キャビネット２に上方から被せられる上キャビネット３とで構成されている。
【００２５】
上キャビネット３の前面中央部には投写窓４が形成されており、投写レンズ５の前面が投写窓４を通じて外部に露出している。
【００２６】
また、上キャビネット３には、前面から上面にかけて、メイン開口を覆うメインカバー６が設けられている。メイン開口は、投写レンズ５やプリズムユニットの交換、偏光板等の調整を行うために設けられている。上キャビネット３の上面後部には、４つのランプ用開口をそれぞれ覆う４つのランプ用カバー７が設けられている。ランプ用開口は、ランプユニットの交換を行うために設けられている。
【００２７】
さらに、上キャビネット３の右側面には、入出力端子部８が設けられている。入出力端子部８には各種ＡＶ端子が配されており、ＡＶ端子を通じてＡＶ（Audio Visual）信号が入力される。
【００２８】
下キャビネット２の左右の側面には、それぞれ、取手９が２つずつ設けられている。取手９は、プロジェクタを持ち運ぶ際に用いられる。
【００２９】
図２は、プロジェクタの内部構造を示す図であり、上キャビネット３が外された状態を示す。
【００３０】
図２を参照して、下キャビネット２の内部には、光源装置１０と、光源装置１０から出射された光を変調して映像光を生成する光学系１１とが配されている。
【００３１】
光源装置１０は、下キャビネット２の後部に配されている。光学系１１は、光源装置１０の前方に配されている。光学系１１は、下キャビネット２に配され、プリズムユニット１２が、上方から着脱ができるように、光学系１１に配されている。なお、光源装置１０および光学系１１の詳細な構成については追って説明する。
【００３２】
光学系１１の前方には、投写レンズ５が配されている。投写レンズ５は、光学系１１により生成された映像光を拡大し、スクリーン等の被投写面に投写する。
【００３３】
光学系１１の左側には、第１ランプ電源ユニット１３が配されており、光源装置１０の右側には、第２ランプ電源ユニット１４が配されている。第１ランプ電源ユニット１３は、左側の前後２つのランプユニットに対してそれぞれ電力を供給する２つのランプ電源部を含む。第２ランプ電源ユニット１４は、右側の前後２つのランプユニットに対してそれぞれ電力を供給する２つのランプ電源部を含む。また、第２ランプ電源ユニット１４の前方には、メイン電源ユニット１５が配されている。メイン電源ユニット１５は、光学系１１を構成する電装部品（液晶パネル等）、制御基板１６等に電力を供給する。
【００３４】
光学系１１の上方には、制御基板１６が配される。制御基板１６には、液晶パネル、ランプユニット等の電装部品を制御するための制御回路が備えられている。なお、図２では、光学系１１が見えるよう、制御基板１６が破線にて示されている。
【００３５】
＜光学系の構成＞
図３は光学系１１の構成を示す図である。
【００３６】
図３に示すように、光学系１１は、導光光学系１０１、３つの透過型の液晶パネル１０２、１０３、１０４と、ダイクロイックプリズム１０５とを備えている。なお、液晶パネル１０２、１０３、１０４の入射側と出射側には図示しない偏光板が配されている。
【００３７】
光源装置１０から出射された白色光は、導光光学系１０１に入射する。導光光学系１０１は、フライアイインテグレータ、ＰＢＳアレイ、コンデンサレンズ、ダイクロイックミラー、平面ミラー、リレーレンズ等を備える。導光光学系１０１に入射した白色光は、赤色波長帯の光（以下、「Ｒ光」という）と、緑色波長帯の光（以下、「Ｇ光」という）と、青色波長帯の光（以下、「Ｂ光」という）に分離され、液晶パネル１０２、１０３、１０４に照射される。これら液晶パネル１０２、１０３、１０４によって変調されたＲ光、Ｇ光、Ｂ光は、ダイクロイックプリズム１０５によって色合成され、映像光として出射される。なお、液晶パネル１０２、１０３、１０４、ダイクロイックプリズム１０５は、一体化され、プリズムユニット１２を構成する。
【００３８】
なお、光学系１１を構成する光変調素子としては、上記透過型の液晶パネル１０２、１０３、１０４の他、反射型の液晶パネルや、ＭＥＭＳデバイスを用いることもできる。また、上記のように３つの光変調素子を備えた３板式の光学系ではなく、たとえば、１つの光変調素子とカラーホイールを用いた単板式の光学系とされても良い。
【００３９】
＜光源装置の構成＞
図４ないし図６は、光源装置１０の構成を示す図である。図４は、ランプ装着ユニット２００から、２つのランプユニット３００が取り外された状態を示す斜視図である。図５は、ミラーカバー２５０が取り外された状態を示す斜視図である。また、図６は、ハウジング２１０の構成を示す図である。図６（ａ）は斜視図であり、図６（ｂ）は、図６（ａ）のＡ−Ａ´断面図である。
【００４０】
図４ないし図６を参照して、光源装置１０は、下キャビネット２に固定されたランプ装着ユニット２００と、ランプ装着ユニット２００に装着される４つのランプユニット３００により構成されている。
【００４１】
ランプ装着ユニット２００は、ハウジング２１０と、２つのミラー部材２２０と、４つの第１ＵＶカット部材２３０と、第２ＵＶカット部材２４０と、ミラーカバー２５０とを備えている。
【００４２】
ハウジング２１０は、樹脂材料により形成されており、中央に配された２つのミラー配
置部２１１と、ミラー配置部２１１の両側に形成された４つのランプ収容部２１２とを備えている。前側のミラー配置部２１１の底面は、後側のミラー配置部２１１の底面より低くされている。また、前側の左右２つのランプ収容部２１２の底面は、後側の左右２つのランプ収容部２１２の底面よりも低くされている。ミラー配置部２１１には、ミラー部材２２０が配置され、ランプ収容部２１２には、ランプユニット３００が装着される。
【００４３】
ミラー部材２２０は、Ｖ字状に形成されたベース部材２２１の前面に、Ｖ字状に形成された平面ミラー２２２が取り付けられたものである。ミラー部材２２０は、ランプユニット３００から出射された光を反射して前方へ導く。
【００４４】
第１ＵＶカット部材２３０は、紫外線の通過を阻止するＵＶカットガラス２３１を備えている。各第１ＵＶカット部材２３０は、各ランプ収容部２１２と、それに対応するミラー配置部２１１との間に配される。
【００４５】
第２ＵＶカット部材２４０は、紫外線の通過を阻止するＵＶカットガラスであり、前側のミラー配置部２１１の前方に配置される。第２ＵＶカット部材２４０の高さは、後側のミラー部材２２０により反射されて前方に向かう光の光路より高くなるように設定されている。
【００４６】
ミラーカバー２５０は、ミラー配置部２１１の上方を覆う。ミラーカバー２５０の前側には、第１ＵＶカット部材２３０の上端まで延びる側面部２５１が左右に形成されている。各側面部２５１には、ランプ収容部２１２内にランプユニット３００が装着されたときに、ランプユニット３００のフランジ部３２６ａを受ける受け部２５２が形成されている。受け部２５２からは、ガイドリブ２５３が上方に延びており、さらに、位置決めピン２５４が突出している。ミラーカバー２５０には、後部の左右にも同様に受け部２５５が形成されており、受け部２５５から上方に延びるガイド板２５６にガイドリブ２５７が形成されている。また、受け部２５５には、位置決めピン２５８が形成されている。
【００４７】
ミラーカバー２５０の上面には、サブ基板１７が取り付けられる。サブ基板１７には、ランプ用カバー７の開閉を検出するための検出スイッチ４０１が設けられている。検出スイッチ４０１には、たとえば、マイクロスイッチが用いられる。検出スイッチ４０１は、各ランプ用カバー７に対応して設けられている。ランプ用カバー７が開放されると、検出スイッチ４０１が、たとえば、閉じた状態から開いた状態となる。これにより、制御基板１６には、ランプ用カバー７の開放を知らせる検出信号が入力される。
【００４８】
さて、図６に示すように、各ランプ収容部２１２において、ミラー配置部２１１と反対側の側面２１２Ｓには、内側への張り出す上部取付部２１２ａが形成されている。上部取付部２１２ａには、開口部２１２ｂが形成されており、この開口部２１２ｂに板バネ２６０が取り付けられている。上部取付部２１２ａの下には、上部取付部２１２ａよりも内側に張り出す下部取付部２１２ｃが形成されている。下部取付部２１２ｃには、開口部２１２ｄが形成されており、この開口部２１２ｄに第２コネクタ（レセプタクル）２７０が取り付けられている。
【００４９】
前側のランプ収容部２１２では、後側のランプ収容部２１２よりも底面が低くされているため、後側のランプ収容部２１２よりも上部取付部２１２ａおよび下部取付部２１２ｃの位置が低くなっている。
【００５０】
板バネ２６０は、金属板を折り曲げ加工することにより形成されている。図６（ｂ）に示すように、板バネ２６０の上端部２６１は、後方に略直角に折り曲げられている。上端部２６１は、上部取付部２１２ａの上面において、位置決めピン２１２ｅで仮止めされた
後にネジ２８０により固定される。また、板バネ２６０の略中央部には、三角の山形に突き出す第２突出部２６２が形成されている。さらに、板バネ２６０の下端部２６４は、逆Ｌ字状に折り曲げられている。下端部２６４は、開口部２１２ｂの下縁部に係止され、これにより、第２突出部２６２が外側に押されても、下端部２６４が方に動かない。
【００５１】
第２コネクタ２７０は、図示しないケーブル（リード線）を介して、第１ランプ電源ユニット１３および第２ランプ電源ユニット１４に電気的に接続されている。
【００５２】
図７および図８は、ランプユニット３００の構成を示す図である。図７（ａ）は、ランプユニット３００を前斜め方向から見た斜視図である。図７（ｂ）は、ランプユニット３００を後斜め方向から見た斜視図である。図８は、ランプユニット３００の側面図である
図７および図８を参照して、ランプユニット３００は、ランプ３１０と、ランプ３１０を保持するランプホルダ３２０により構成されている。ランプ３１０は、白色の光を発する発光管３１１と、発光管３１１から発せられた白色光を反射するリフレクター３１２を備えている。ランプ３１０には、たとえば、超高圧水銀ランプ、キセノンランプ等が用いられる。
【００５３】
ランプホルダ３２０は、樹脂材料により形成されており、ホルダ本体３２１と底板３２２とを備えている。ホルダ本体３２１の前面には、ランプ３１０からの光が出射される出射窓３２３が形成されている。出射窓３２３には、耐熱性のガラス板３２４が嵌め込まれている。ホルダ本体３２１は底面が開口しており、下方からランプ３１０が装着される。ホルダ本体３２１の底面の前半分に底板３２２が取り付けられ、底板３２２によってランプ３１０の底部が支えられる。
【００５４】
ホルダ本体３２１の上面には取手３２５が設けられている。取手３２５は、ランプユニット３００を持ち運ぶ際やランプ装着ユニット２００に対して着脱する際に用いられる。取手３２５の前方には、ランプ固定部３２６が設けられている。ランプ固定部３２６は、その上端に形成されたフランジ部３２６ａを含む。フランジ部３２６ａには、ガイド溝３２６ｂ、位置決め孔３２６ｃおよびネジ孔部３２６ｄが形成されている。ネジ孔部３２６ｄにはネジ３４０が挿入される。
【００５５】
ホルダ本体３２１の後面には、第１突出部３２７が形成されている。第１突出部３２７は、側面側から見て、円弧状に形成されている。
【００５６】
第１突出部３２７の下方には、第１コネクタ３３０が取り付けられている。第１コネクタ（プラグ）３３０は、図示しないケーブル（リード線）を介して、発光管３１１に電気的に接続されている。
【００５７】
図９は、ランプユニット３００がランプ収容部２１２に装着される様子を示す要部の断面図である。図９（ａ）は、第１コネクタ３３０が第２コネクタ２７０に接続される直前の状態を示す図である。図９（ｂ）は、第１コネクタ３３０が第２コネクタ２７０に完全に接続された状態を示す図である。
【００５８】
ランプユニット３００は、正面側（出射窓３２３側）がミラー配置部２１１に向く状態で、ランプ収容部２１２内に挿入される。この際、フランジ部３２６ａのガイド溝３２６ｂが、ミラーカバー２５０のガイドリブ２５３（２５７）に沿わされる。
【００５９】
ランプユニット３００が、ランプ収容部２１２の底面の近くまで挿入されると、図９（ａ）に示すように、ランプホルダ３２０の第１突出部３２７が、ランプ収容部２１２に固定された板バネ２６０の第２突出部２６２に当接する。このとき、第１コネクタ３３０は
、第２コネクタ２７０に接続される寸前の状態にある。
【００６０】
この状態から、ランプユニット３００がさらに押し下げられ、それに伴って、図９（ａ）の破線にように、第１突出部３２７が下方に移動すると、板バネ２６０の弾性作用により、第２突出部２６２が第１突出部３２７の円弧形状に沿ってランプユニット３００から離れる方向（図の実線矢印の方向）に移動する。そして、第１突出部３２７の頂上部が第２突出部２６２の頂上部を超えると、第２突出部２６２が、板バネ２６０の弾性力によって、ランプユニット３００に向かう方向（図９（ｂ）の実線矢印の方向）に移動する。このとき、第１突出部３２７には、下方へのアシスト力（図９（ｂ）の破線矢印）が作用する。このアシスト力により、ランプユニット３００は、ランプ収容部２１２に円滑に装着され、第１コネクタ３３０が第２コネクタ２７０に完全に接続される。これにより、第１ランプ電源ユニット１３および第２ランプ電源ユニット１４から各ランプユニット３００の発光管３１１へ電力の供給が可能となる。板バネ２６０は、元の状態に戻り、第１突出部３２７上側と第２突出部２６２の下側とが近接する状態となる。これにより、何らかの要因により、ランプユニット３００に上方に力が加わっても、ランプユニット３００が上方に動きにくく、第１コネクタ３３０と第２コネクタ２７０とが外れにくい。
【００６１】
このように、第１突出部３２７と第２突出部２６２は、第１コネクタ３３０と第２コネクタ２７０とが接続される前には、第１突出部３２７によって第２突出部２６２が押されず、第１コネクタ３３０と第２コネクタ２７０とが完全に接続されると、第１突出部３２７に押されていた第２突出部２６２が元の位置に戻るような位置関係、となる。さらに望ましくは、第１突出部３２７と第２突出部２６２は、第２突出部２６２が元の位置に戻ったときに、第１突出部３２７と第２突出部２６２とが近接する位置関係となる。なお、第１突出部３２７と第２突出部２６２とが接触しても良い。
【００６２】
ランプユニット３００が、ランプ収容部２１２内に完全に装着されると、ランプユニット３００のフランジ部３２６ａがミラーカバー２５０の受け部２５２（２５５）に当接し、位置決めピン２５４（２５８）がフランジ部３２６ａの位置決め孔３２６ｃに嵌り込む。ネジ孔部３２６ｄに挿入されたネジ３４０により、フランジ部３２６ａが受け部２５２（２５５）に固定される（図４参照）。これにより、ランプユニット３００がランプ装着ユニット２００に固定される。
【００６３】
ランプ装着ユニット２００に４つのランプユニット３００が組み込まれた状態において、左右２つのランプユニット３００は、ミラー部材２２０を挟んで互いに向かい合う。図５に示すように、プロジェクタの運転が行われると、各ランプユニット３００から出射された光は、対応する第１ＵＶカット部材２３０を通過し、その際に紫外線が除去される。そして、各第１ＵＶカット部材２３０を通過した光は、各ランプユニット３００に対応するミラー部材２２０により反射されて一つの光に合成され、前方へ向かう。このとき、前方の２つのランプユニット３００は、後方の２つのランプユニット３００より低い位置に配されている。このため、後方のランプユニット３００からの光が前方のランプユニット３００に遮られることはない。合成された光は、第２ＵＶカット部材２４０を通過し、さらに紫外線が除去される。このようにして、４つのランプユニット３００からの光が合成されことにより、光源装置１０からは高輝度な光が出射される。
【００６４】
＜本実施の形態の効果＞
以上、本実施の形態によれば、ランプユニット３００がランプ装着ユニット２００に装着される際に、ランプホルダ３２０の第１突出部３２７と板バネ２６０の第２突出部２６２からなるアシスト機構によって、装着方向の力がランプユニット３００に付与される。このため、第１コネクタ３３０を円滑に第２コネクタ２７０へ接続でき、コネクタの接続不良を抑制できる。
【００６５】
また、本実施の形態によれば、第２突出部２６２を板バネ２６０に形成することにより、第２突出部２６２を良好に弾性的に保持できる。
【００６６】
さらに、本実施の形態によれば、ランプ装着ユニット２００側に設けられる第２突出部２６２が板バネ２６０に形成されている。即ち、本体キャビネット１内にあるランプ装着ユニット２００側に板バネ２６０が設けられている。よって、板バネ２６０がランプユニット３００側に設けられる場合と違って、ランプユニット３００が持ち運ばれている際に、板バネ２６０が何ものかに当たって変形するなどの虞がない。
【００６７】
さらに、本実施の形態によれば、第１突出部３２７が円弧状に形成されており、第２突出部２６２が第１突出部３２７の円弧形状に沿って動くことで、第２突出部２６２がランプユニット３００から離れる方向に移動しやすい。このため、適度な力を加えることにより、第１突出部３２７が第２突出部２６２の頂上部を乗り越えるので、ランプユニット３００をランプ装着ユニット２００へ円滑に装着できる。
【００６８】
さらに、ランプユニット３００が複数設けられれば、コネクタの接続不良が発生する確率が高まる。しかし、本実施の形態の構成とすれば、複数のランプユニット３００が用いられる場合にも、コネクタの接続不良が発生する確率が抑えられる。
【００６９】
さらに、本実施の形態によれば、第２突出部２６２（板バネ２６０）が第２コネクタ２７０の近傍に配置されているので、第２コネクタ２７０の近傍でアシスト力を作用させることができ、より円滑に第１コネクタ３３０と第２コネクタ２７０とを接続できる。
【００７０】
さらに、本実施の形態のように、後方のランプユニット３００からの光の邪魔にならないよう、前方のランプユニット３００を後方のランプユニット３００より低い位置に配置した場合、図１０に示すように、前方のランプユニット３００とそれに対応するランプ用カバー７との高さＨ１と、後方のランプユニット３００とそれに対応するランプ用カバー７との高さＨ２とが異なってくる。ランプユニット３００を装着方向に押し込むためには、図１０の破線で示すように、ランプ用カバー７の裏面からランプユニット３００側に延びる押し棒部ＰＢを形成することもできる。しかし、この場合、前側のランプ用カバー７と後側とランプ用カバー７とで押し棒部ＰＢの長さが異なってしまうため、４つのランプ用カバー７を共通部品として構成できない。
【００７１】
この点、本実施の形態の構成とすれば、４つのランプ用カバー７を、全て共通部品として構成できる。
【００７２】
＜その他＞
以上、本実施の形態について説明したが、本発明は上記実施の形態に何ら制限されるものではなく、また、本発明の実施形態も、上記実施の形態に以外に、種々の変更が可能である。
【００７３】
たとえば、上記実施の形態では、ランプ装着ユニット２００側の第２突出部２６２が板バネ２６０に形成されている。しかしながら、図１１（ａ）に示すように、第１突出部３２７も板バネ２６０Ａに形成され、板バネ２６０Ａがランプホルダ３２０に取り付けられても良い。この場合、板バネ２６０を折り曲げて第１突出部３２７が容易に形成できるよう、第２突出部２６２と同様に、第１突出部３２７が三角の山形に形成され得る。さらに、図１１（ｂ）に示すように、第２突出部２６２がハウジング２１０に直接形成され、第１突出部３２７がランプホルダ３２０に取り付けられた板バネ２６０Ａに形成されても良い。この場合、第２突出部２６２が円弧状に形成され、第１突出部３２７が三角の山形に
形成され得る。
【００７４】
また、上記実施の形態では、第２突出部２６２が金属製の板バネ２６０により弾性的に保持されている。しかしながら、これに限らず、たとえば、第２突出部２６２が樹脂製の板バネにより弾性的に保持されても良い。この場合、樹脂製の板バネはハウジング２１０（ランプ収容部２１２）と一体形成されても良いし、別体に形成されても良い。また、第２突出部２６２が、板バネ以外の弾性部材、たとえば、コイルスプリングにより弾性的に保持されも良い。なお、この点は、図１１の形態のように、第１突出部３２７が弾性的に保持される場合も同様である。
【００７５】
さらに、上記実施の形態では、第１突出部３２７が円弧状に形成されている。しかしながら、第１突出部３２７は他の形状、たとえば、三角の山形に形成されても良い。ただし、この場合、第１突出部３２７を円弧状とした場合に比べ、第１突出部３２７が第２突出部２６２の頂上部を乗り越えるために力が必要となるので、ランプユニット３００がやや装着しづらくなり得る。
【００７６】
また、上記実施の形態では、各ランプユニット３００から出射された光をミラー部材２２０(平面ミラー２２２)により反射することにより合成するようにしているが、光合成部として、ミラーでなく、プリズムが用いられても良い。
【００７７】
さらに、上記実施の形態では、ランプ光源を用いたランプユニット３００により光源装置１０が構成されているが、ＬＥＤ光源やレーザ光源を用いた光源ユニットにより光源装置１０が構成されても良い、
さらに、上記実施の形態のプロジェクタは、４灯式のプロジェクタであるが、４灯以外の多灯式のプロジェクタであっても良いし、単灯式のプロジェクタであってもよい。
【００７８】
この他、本発明の実施の形態は、特許請求の範囲に示された技術的思想の範囲内において、適宜、種々の変更が可能である。
【符号の説明】
【００７９】
１０  光源装置
１１  光学系
１３  第１ランプ電源ユニット（電源部）
１４  第２ランプ電源ユニット（電源部）
１０２、１０３、１０４  液晶パネル（光変調部）
２００  ランプ装着ユニット
２１０  ハウジング
２１２  ランプ収容部（装着部）
２２０  ミラー部材（光合成部）
２６０  板バネ（アシスト部）
２６２  第２突出部（アシスト部）
２７０  第２コネクタ
３００  ランプユニット（光源部）
３１０  ランプ
３１１  発光管（発光体）
３２０  ランプホルダ（ホルダ）
３３０  第１コネクタ
３２７  第１突出部（アシスト部）
【図１】
2012128254.tif 000003
【図２】
2012128254.tif 000004
【図３】
2012128254.tif 000005
【図４】
2012128254.tif 000006
【図５】
2012128254.tif 000007
【図６】
2012128254.tif 000008
【図７】
2012128254.tif 000009
【図８】
2012128254.tif 000010
【図９】
2012128254.tif 000011
【図１０】
2012128254.tif 000012
【図１１】
2012128254.tif 000013